(57)【要約】      （修正有）【課題】頭髪から外れてしまうことを防止できる髪止め具を提供する。【解決手段】頭髪を束ねた紐状体の外周を覆うように該頭髪に装着する髪止め具１であって、紐状体の外周を覆うべく、該外周に沿って並べられる複数の外周部材３と、複数の外周部材３のうちの外周方向の両端部に位置する各外周部材３に隣り合って配置され、互いに係止及び係止解除可能に構成された一対の連結部４、５と、一対の連結部４、５のうちの一方の連結部４から複数の外周部材３を挿通して他方の連結部５までを連結し、かつ、隣り合う外周部材３間に押圧力が作用するように一対の連結部４、５間に引張力を作用させるための伸縮性を有する弾性体６と、を備えている。【選択図】図１
0003231483.tif 000002
【実用新案登録請求の範囲】
【請求項１】
頭髪を束ねた紐状体の外周を覆うように該頭髪に装着する髪止め具であって、
前記紐状体の外周を覆うべく、該外周に沿って並べられる複数の外周部材と、該複数の外周部材のうちの外周方向の両端部に位置する各外周部材に隣り合って配置され、互いに係止及び係止解除可能に構成された一対の連結部と、該一対の連結部のうちの一方の連結部から前記複数の外周部材を挿通して他方の連結部までを連結し、かつ、隣り合う外周部材間に押圧力が作用するように前記一対の連結部間に引張力を作用させるための伸縮性を有する弾性体と、を備えていることを特徴とする髪止め具。
【請求項２】
各外周部材は、外周方向に沿って構成された本体部と、該本体部の外周方向両端部に径方向内側に突出する壁部を備え、該壁部の外周方向と径方向に直交する幅方向の両端部に前記弾性体を挿通するための一対の孔を備えていることを特徴とする請求項１に記載の髪止め具。
【請求項３】
前記壁部は、外周方向の端面が隣り合う外周部材同士が前記弾性体の引張力で当接する当接面として構成され、該当接面は、隣り合う外周部材が円環状に並ぶように構成されていることを特徴とする請求項２に記載の髪止め具。
【請求項４】
前記外周部材は、外周方向と径方向に直交する幅方向の両端部に孔を備え、前記連結部は、幅方向の両端部に孔を備え、前記弾性体は、無端ループ状に形成されたゴム紐であり、該ゴム紐は、各外周部材の幅方向一方側の孔と、各連結部の幅方向一方側の孔とに外周方向に連続して挿通され、かつ、各外周部材の幅方向他方側の孔と、各連結部の幅方向他方側の孔とに外周方向で連続して挿通されていることを特徴とする請求項１に記載の髪止め具。
【請求項５】
前記一対の連結部のそれぞれは、径方向で重なって係止可能な重なり部と、該重なり部から外周方向において互いに離間する方向へ延びる延出部と、を備え、一対の前記重なり部のうちの径方向外側の第１重なり部は、径方向内側の第２重なり部に外周方向にスライドして重なって係止するように構成され、前記第２重なり部から延びる前記延出部は、前記第１重なり部をスライドさせた時に該第１重なり部の先端が当接して重なり位置を規制する径方向外側に突出する当接用壁部を備え、前記第１重なり部と前記第２重なり部との重なり位置において、前記当接用壁部の外面と前記第１重なり部の外面とが略面一に構成されていることを特徴とする請求項１〜４のうちのいずれか１項に記載の髪止め具。
【請求項６】
各外周部材の本体部の外周方向略中央部における幅方向の両端部の内面に、径方向内側に突出する一対の突出片を備え、幅方向一端側の突出片には、各円弧状部材の一方の壁部に備えた一対の孔のうちの幅方向一端部側の孔を挿通した前記弾性体を挿通させて他方の壁部に備えた一対の孔のうちの幅方向一端部側の孔に挿通させるための中継用の孔を備え、幅方向他端側の突出片には、各円弧状部材の一方の壁部に備えた一対の孔のうちの幅方向他端部側の孔を挿通した前記弾性体を挿通させて他方の壁部に備えた一対の孔のうちの幅方向他端部側の孔に挿通させるための中継用の孔を備えていることを特徴とする請求項２又は３に記載の髪止め具。
【請求項７】
前記本体部の外周方向中央部かつ幅方向中央部の内面に径方向内側に突出する１個の突出片を備え、該突出片に中継用の孔を備え、該中継用の孔には、前記壁部の幅方向一端部側の孔を挿通する前記弾性体と、前記壁部の幅方向他端部側の孔を挿通する前記弾性体とが挿通していることを特徴とする請求項２又は３に記載の髪止め具。
【請求項８】
前記第１重なり部を前記第２重なり部にスライドさせる際に、該第１重なり部を移動案内するための一対の案内用壁部を該第２重なり部の幅方向両端部に備えていることを特徴とする請求項５に記載の髪止め具。
【請求項９】
前記第１重なり部及び前記第２重なり部のそれぞれは、両者を磁力により重なり状態を保持するための永久磁石を備えていることを特徴とする請求項５又は８に記載の髪止め具。
【考案の詳細な説明】
【技術分野】
【０００１】
本考案は、頭髪を束ねた紐状体の外周を覆うように該頭髪に装着する髪止め具に関する。
【背景技術】
【０００２】
上記髪止め具としては、頭髪を束ねたゴム紐（紐状体）の外周を覆う環状形状を有し、前記ゴム紐で束ねた前記頭髪を前記環状形状の内側に挿入するための切れ目を有する環状部を備え、前記環状部が、台座部と、前記台座部の両端のそれぞれにヒンジを介して開閉自在に取り付けられたアーム部と、を有したものが提案されている（例えば、特許文献１参照）。
【０００３】
上記特許文献１の髪止め具は、内径寸法が一定であるため、人によっては、束ねた頭髪の外径寸法が髪止め具の内径寸法よりも大きい場合がある。その場合には、頭髪に髪止め具を装着した状態において髪止め具の一対のアーム部を閉じることができない。そのため、髪止め具の頭髪への保持力が低下してしまい、髪止め具が頭髪から外れやすくなるという不都合があり、改善の余地があった。
【先行技術文献】
【特許文献】
【０００４】
【特許文献１】特許第６１４６８６８号公報
【考案の概要】
【考案が解決しようとする課題】
【０００５】
そこで、本考案は、かかる事情に鑑みてなされたもので、頭髪から外れてしまうことを防止できる髪止め具を提供することを課題とする。
【課題を解決するための手段】
【０００６】
本考案に係る髪止め具は、頭髪を束ねた紐状体の外周を覆うように該頭髪に装着する髪止め具であって、前記紐状体の外周を覆うべく、該外周に沿って並べられる複数の外周部材と、該複数の外周部材のうちの外周方向の両端部に位置する各外周部材に隣り合って配置され、互いに係止及び係止解除可能に構成された一対の連結部と、該一対の連結部のうちの一方の連結部から前記複数の外周部材を挿通して他方の連結部までを連結し、かつ、隣り合う外周部材間に押圧力が作用するように前記一対の連結部間に引張力を作用させるための伸縮性を有する弾性体と、を備えていることを特徴としている。
【０００７】
本考案によれば、一方の連結部から複数の外周部材を挿通して他方の連結部までを引張力を作用させるための弾性体で連結することによって、一対の連結部が係止した状態を維持したまま、束ねた頭髪の外径寸法に応じて弾性体が伸縮する。これによって、外周方向で隣り合う円弧状部材間の隙間が広がったり、又は狭くなったりすることで、髪止め具の内径寸法を束ねた頭髪の外径寸法に合わせることができる。
【０００８】
また、本考案に係る髪止め具は、各外周部材が、外周方向に沿って構成された本体部と、該本体部の外周方向両端部に径方向内側に突出する壁部を備え、該壁部の外周方向と径方向に直交する幅方向の両端部に前記弾性体を挿通するための一対の孔を備えていてもよい。
【０００９】
上記構成によれば、本体部の外周方向両端部の壁部に備えた一対の孔に弾性体を挿通することによって、外周方向で隣り合う一方の外周部材に対して他方の外周部材が径方向でずれる、又は捩じれてしまうことを抑制することができる。
【００１０】
また、本考案に係る髪止め具は、前記壁部が、外周方向の端面が隣り合う外周部材同士が前記弾性体の引張力で当接する当接面として構成され、該当接面は、隣り合う外周部材が円環状に並ぶように構成されていてもよい。
【００１１】
上記構成によれば、隣り合う外周部材の壁部同士が当接することによって、外周部材同士が円環状に並び易い。
【００１２】
また、本考案に係る髪止め具は、前記外周部材が、外周方向と径方向に直交する幅方向の両端部に孔を備え、前記連結部は、幅方向の両端部に孔を備え、前記弾性体は、無端ループ状に形成されたゴム紐であり、該ゴム紐は、各外周部材の幅方向一方側の孔と、各連結部の幅方向一方側の孔とに外周方向に連続して挿通され、かつ、各外周部材の幅方向他方側の孔と、各連結部の幅方向他方側の孔とに外周方向で連続して挿通されていてもよい。
【００１３】
上記構成によれば、ゴム紐が、各外周部材の幅方向一方側の孔と、各連結部の幅方向一方側の孔とに外周方向に連続して挿通され、かつ、各外周部材の幅方向他方側の孔と、各連結部の幅方向他方側の孔とに外周方向で連続して挿通されてループ状に構成されることによって、幅方向一方側と他方側とでゴム紐の引張力を均一にして、外周方向で隣り合う外周部材が広がる方向や接近する方向にスムーズに移動することができる。
【００１４】
また、本考案に係る髪止め具は、前記一対の連結部のそれぞれが、径方向で重なって係止可能な重なり部と、該重なり部から外周方向において互いに離間する方向へ延びる延出部と、を備え、一対の前記重なり部のうちの径方向外側の第１重なり部は、径方向内側の第２重なり部に外周方向にスライドして重なって係止するように構成され、前記第２重なり部から延びる前記延出部は、前記第１重なり部をスライドさせた時に該第１重なり部の先端が当接して重なり位置を規制する径方向外側に突出する当接用壁部を備え、前記第１重なり部と前記第２重なり部との重なり位置において、前記当接用壁部の外面と前記第１重なり部の外面とが略面一に構成されていてもよい。
【００１５】
上記構成によれば、第１重なり部と第２重なり部の重なり位置において、第２重なり部の延出部の当接用壁部の外面と第１重なり部の外面とが略面一に構成されることによって、外観の見栄えを良くすることができる。
【００１６】
また、本考案に係る髪止め具は、各外周部材の本体部の外周方向略中央部における幅方向の両端部の内面に、径方向内側に突出する一対の突出片を備え、幅方向一端側の突出片には、各円弧状部材の一方の壁部に備えた一対の孔のうちの幅方向一端部側の孔を挿通した前記弾性体を挿通させて他方の壁部に備えた一対の孔のうちの幅方向一端部側の孔に挿通させるための中継用の孔を備え、幅方向他端側の突出片には、各円弧状部材の一方の壁部に備えた一対の孔のうちの幅方向他端部側の孔を挿通した前記弾性体を挿通させて他方の壁部に備えた一対の孔のうちの幅方向他端部側の孔に挿通させるための中継用の孔を備えていてもよい。
【００１７】
上記構成によれば、各外周部材の一対の壁部のうちの一方の壁部に備えた一対の孔を挿通した弾性体のそれぞれを、各外周部材の外周方向略中央部に備えた同一端部側の突出片の中継用の孔に挿通させてから、他方の壁部に備えた同一端部側の孔に挿通させることによって、弾性体を外周部材の内面側に沿わせることができる。
【００１８】
また、本考案に係る髪止め具は、前記本体部の外周方向中央部かつ幅方向中央部の内面に径方向内側に突出する１個の突出片を備え、該突出片に中継用の孔を備え、該中継用の孔には、前記壁部の幅方向一端部側の孔を挿通する前記弾性体と、前記壁部の幅方向他端部側の孔を挿通する前記弾性体とが挿通していてもよい。
【００１９】
上記構成によれば、径方向内側に突出する１個の突出片に備えた中継用の孔に、壁部の幅方向一端部側の孔を挿通する弾性体と、前記壁部の幅方向他端部側の孔を挿通する弾性体とが挿通することによって、弾性体を外周部材の内面側に沿わせることができるとともに、弾性体が外部から見え難くなる。
【００２０】
また、本考案に係る髪止め具は、前記第１重なり部を前記第２重なり部にスライドさせる際に、該第１重なり部を移動案内するための一対の案内用壁部を該第２重なり部の幅方向両端部に備えていてもよい。
【００２１】
上記構成によれば、第１重なり部を移動案内するための一対の案内用壁部を第２重なり部の幅方向両端部に備えることによって、第１重なり部を第２重なり部にスライドさせる際に、第１重なり部が、第２重なり部に対して幅方向に位置ずれすることを抑制することができるので、第１重なり部を第２重なり部に確実に重ねることができる。
【００２２】
また、本考案に係る髪止め具は、前記第１重なり部及び前記第２重なり部のそれぞれは、両者を磁力により重なり状態を保持するための永久磁石を備えていてもよい。
【００２３】
上記構成によれば、第１重なり部と第２重なり部とを重ねるだけで、永久磁石の磁力により重なり状態を維持できる。また、第１重なり部と第２重なり部とに永久磁石を備えることによって、径方向における一対の連結部の寸法が大きくなることを抑制することができる。
【考案の効果】
【００２４】
以上の如く、一方の連結部から複数の外周部材を挿通して他方の連結部までを引張力を作用させるための伸縮性を有する弾性体で連結することによって、頭髪から外れてしまうことを防止できる髪止め具を提供することができる。
【図面の簡単な説明】
【００２５】
【図１】本考案の髪止め具を上から見た斜視図である。
【図２】同髪止め具の平面図である。
【図３】同髪止め具の正面図である。
【図４】同髪止め具を展開した図である。
【図５】（ａ）は一対の連結部を連結する直前の状態を示す断面図、（ｂ）は一対の連結部を連結した状態を示す断面図である。
【図６】図２におけるＶＩ−ＶＩ線断面図である。
【図７】頭髪を束ねた紐状体の外周を覆うように髪止め具を頭髪に装着する直前の状態を示す説明図である。
【図８】別の髪止め具を示し、上から見た斜視図である。
【図９】別の髪止め具を示し、上から見た斜視図である。
【考案を実施するための形態】
【００２６】
以下、本考案に係る髪止め具について、図面に基づいて説明する。この髪止め具１は、図１及び図２に示すように、図７の紐状体２の外周を覆うべく、該外周に沿って並べられる複数（図１では７個）の外周部材３と、該複数の外周部材３のうちの外周方向の両端部に位置する各外周部材３に隣り合って配置され、互いに係止及び係止可能に構成された一対の連結部４，５と、一対の連結部４，５のうちの一方の連結部４から複数の外周部材３を挿通して他方の連結部５までを連結し、かつ、隣り合う外周部材３，３間に押圧力が作用するように一対の連結部４，５間に引張力を作用させるための伸縮性を有する弾性体６と、を備えている。尚、この実施形態では、外周部材３、一対の連結部４，５は、光沢のある金属材料で構成されているが、各種の合成樹脂、木材、セラミックス、鼈甲（ベッコウ）等で構成してもよい。また、紐状体２は、伸縮自在なゴムから構成する他、伸縮しない布等から構成される。
【００２７】
７個の外周部材３は、外周方向において円弧状に構成された円弧状部材であり、全て同一構成である。各円弧状部材３は、外周方向に円弧状に構成された板状の本体部３１と、該本体部３１の外周方向両端部それぞれに外周方向と直交する幅方向略全域に亘るとともに径方向内側に延びる壁部３２を備え、各壁部３２の外周方向と径方向の双方に直交する幅方向の両端部に弾性体６を挿通するための一対の円形の孔３３ａ，３３ｂを備えている。このように、本体部３１の外周方向両端部それぞれの壁部３２に備えた一対の孔３３ａ，３３ｂに弾性体６を挿通することによって、外周方向で隣り合う円弧状部材３，３のうちの一方の円弧状部材３に対して他方の円弧状部材３が径方向でずれる、又は捩じれてしまうことを抑制することができる。各本体部３１の幅方向の寸法は、図７の紐状体２を幅方向（髪の長手方向）で覆うことができる寸法に設定されている。
【００２８】
また、各円弧状部材３の外周方向略中央部における幅方向の両端部の内面には、径方向内側に突出する一対の突出片３３，３３を備えている。これら突出片３３，３３のそれぞれには、弾性体６を挿通するための孔３３ａ，３３ｂが形成されている。これら孔３３ａ，３３ｂのうちの幅方向一端部の孔３３ａは、外周方向一方の壁部３２に備えた幅方向一端部の孔３２ａを挿通した弾性体６を挿通させて外周方向他方の壁部３２に備えた幅方向一端部の孔３２ａへ挿通させるための中継用の孔である。また、幅方向他端部の孔３３ｂは、外周方向一方の壁部３２に備えた幅方向他端部の孔３２ｂを挿通した弾性体６を挿通させて外周方向他方の壁部３２に備えた幅方向他端部の孔３２ｂへ挿通させるための中継用の孔である。このように、各円弧状部材３の一対の壁部３２，３２のうちの一方の壁部３２に備えた一対の孔３２ａ，３２ｂを挿通した弾性体６のそれぞれを、各円弧状部材３の外周方向略中央部に備えた同一端部側の突出片３３の中継用の孔３３ａ，３３ｂに挿通させてから、他方の壁部３２に備えた同一端部側の孔３２ａ，３２ｂに挿通させることによって、弾性体６を円弧状部材３の内面側に沿わせることができる。
【００２９】
本体部３１は、外周方向の寸法が外周方向と径方向の双方に直交する幅方向の寸法よりも長く設定され、外面３１ａには、凹凸部が形成されており、本体部３１を見栄えの良い外観形状に構成している。この実施形態では、外面３１ａに凹凸部を形成したが、凹凸部の無いフラットな円弧面に形成してもよい。この実施形態では、本体部３１を、外周方向の寸法が幅方向の寸法よりも長く設定しているが、外周方向の寸法が幅方向の寸法よりも短くなる、又は外周方向の寸法が幅方向の寸法と同一になるように設定してもよい。
【００３０】
各壁部３２は、径方向よりも幅方向に長い長方形状に構成され、外周方向の端面が隣り合う円弧状部材３，３同士が弾性体６の引張力で当接する当接面として構成され、該当接面は、隣り合う円弧状部材３，３が円環状に並ぶように構成されている。このように、隣り合う円弧状部材３，３の壁部３２，３２同士が当接することによって、円弧状部材３，３同士が円環状に並び易い。この実施形態では、各壁部３２を、径方向よりも幅方向に長い１個の長方形状に構成しているが、径方向の寸法と幅方向の寸法が同一の正方形状又は幅方向よりも径方向が長い長方形状に構成してもよい。この場合、幅方向に１個の壁部から構成してもよいし、幅方向に２個の壁部から構成することもできる。
【００３１】
一対の連結部４，５のそれぞれが、径方向で重なって係止可能な重なり部４１，５１と、該重なり部４１，５１から外周方向において互いに離間する方向へそれぞれ延びる延出部４２，５２と、を備えている。重なり部４１，５１は、扁平な板状からなり、延出部４２，５２は、それの遊端部が円弧状に形成されて更に内側に延びる鍔部４２Ｂ，５２Ｂを備え、これら鍔部４２Ｂ又は５２Ｂの幅方向両端部の内面に、径方向内側に突出する一対の突起部４２Ａ，４２Ａ又は５２Ａ，５２Ａを備えている。前記一対の突起部４２Ａ，４２Ａ又は５２Ａ，５２Ａに、弾性体６を挿通させるための孔４２ａ，４２ｂ又は５２ａ，５２ｂを備えている。
【００３２】
内側に位置する第１重なり部５１の内面の幅方向両端部には、一対の棒状突起７，７が突出形成されている。一対の棒状突起７，７は、同一形状で同一長さに構成され、断面形状が円形で先端に向かうほど直径が小さくなる先細り形状になっている。先端は、半円状に形成されている。一対の棒状突起７，７の長さは、髪止め具１の内径の略半分に構成されているが、長さは自由に変更できる。棒状突起７，７間の距離は、紐状体２の両端を挟み込むことができる程度に設定することが好ましい。尚、一対の棒状突起７，７に加えて、第１重なり部５１と対向位置する円弧状部材３に第１重なり部５１側へ突出する一対の棒状突起を設けて実施してもよい。また、棒状突起７，７を板状又は櫛状の突起で構成することもできる。
【００３３】
弾性体６は、断面形状が円形で伸縮自在な一本のゴム紐からなり、ゴム紐６は、一方の端部が、一方の連結部４の一端部の突起部４２Ａの一方の孔４２ａから該一方の孔４２ａと同一端部側の複数（７個）の円弧状部材３の一方の孔３２ａ，３３ａ及び該一方の孔３２ａ，３３ａと同一端部側の他方の連結部５の一方の孔５２ａへ向けて挿通され、挿通された一方の端部が、他方の連結部５の他方の孔５２ｂから該孔５２ｂと同一端部側の複数（７個）の円弧状部材３の他方の孔３２ｂ，３３ｂ及び該他方の孔３２ｂ，３３ｂと同一端部側の一方の連結部４の他方の孔４２ｂへ向けて挿通され、挿通された一方の端部６Ａと、一方の連結部４の一端部の突起部４２Ａの一方の孔４２ａから一方の連結部４側へ突出している他方の端部６Ｂと、を結んでループ状に構成されている（図１参照）。このようにゴム紐６を無端ループ状に構成することによって、幅方向一端側と他端側とでゴム紐６の引張力を均一にして、外周方向で隣り合う円弧状部材３が広がる方向や接近する方向にスムーズに移動することができる。
【００３４】
図４〜図６に示すように、一対の重なり部４１，５１は、両者を磁力により重なり状態を保持すべく幅方向両端部に一対の永久磁石８，８、９，９を備えている。したがって、一対の重なり部４１，５１を径方向で重ねるだけで、永久磁石８，８、９，９の磁力により重なり状態を維持できる。また、一対の重なり部４１，５１に永久磁石８，８、９，９を備えることによって、径方向における一対の連結部４，５の寸法が大きくなることを抑制することができる。尚、外側に位置する第１重なり部５１に備える一対の永久磁石９，９は、例えば径方向内側部分がＳ極に着磁され、これに対して内側に位置する第２重なり部４１に備える一対の永久磁石８，８は、径方向外側部分がＮ極に着磁されており、互いに吸着し合うように構成されている。
【００３５】
また、一対の重なり部４１，５１のうちの径方向外側の第１重なり部５１を径方向内側の第２重なり部４１にスライド可能に構成し、図５（ａ）に示すように、第１重なり部５１を第２重なり部４１にスライドさせる際に、第１重なり部５１を移動案内するための径方向外側に突出する一対の案内用壁部４３，４３（図４参照）を第２重なり部４１の幅方向両端部に備えている。一対の案内用壁部４３，４３を備えることによって、第１重なり部５１を第２重なり部４１にスライドさせるときに、第１重なり部５１が、第２重なり部４１に対して幅方向に位置ずれすることを抑制することができるので、第１重なり部５１を第２重なり部４１に確実に重ねることができる。第１重なり部５１の径方向内側端部（図６では下端部）５１Ｃの幅方向の寸法が、他の部分である径方向外側部（図６では上側部）５１Ｄの幅方向の寸法よりも狭く構成している。したがって、図６に示すように、一対の案内用壁部４３，４３間に第１重なり部５１の径方向内側端部５１Ｃが嵌り込んだ状態になっている。また、第１重なり部５１の径方向外側部５１Ｄの幅方向両端部の扁平な径方向内側端面（図６では、下面）５１ｄ，５１ｄと、一対の案内用壁部４３，４３の扁平な径方向外側端面（図６では、上面）４３ｄ，４３ｄと、が当接した状態になっている。
【００３６】
図６に示すように、第１重なり部５１及び第２重なり部４１のそれぞれが、一対の永久磁石９，９又は８，８を埋め込むための一対の凹部５１Ａ，５１Ａ又は４１Ａ，４１Ａを備え、第１重なり部５１の内面５１Ｕと第１重なり部５１の凹部５１Ａ，５１Ａに埋め込まれた永久磁石９，９の露出側の内面９Ｕ，９Ｕとが略面一であり、かつ、第２重なり部４１の外面４１Ｖと第２重なり部４１の凹部４１Ａに埋め込まれた永久磁石８，８の露出側の外面８Ｖが略面一である。したがって、第１重なり部５１と第２重なり部４１とを隙間なく重ね合わせることができるだけでなく、永久磁石８，８、９，９同士も隙間なく重ね合わせて磁力による吸引力を効率よく作用させることができる。
【００３７】
図１及び図５（ａ），（ｂ）に示すように、第２重なり部４１には、第１重なり部５１をスライドさせた時に第１重なり部５１の先端が当接して重なり位置を規制する径方向外側に突出する当接用壁部４１Ｔを備えている。また、第１重なり部５１と第２重なり部４１との重なり位置において、当接用壁部４１Ｔの外面４１ｔと第１重なり部５１の外面５１ｔとが略面一に構成されている。前記当接用壁部４１Ｔの外面４１ｔには、第１重なり部５１の当接用壁部側端５１Ｈを指の爪で引っ掛けるための平面視半円状の凹部４１Ｓ（図３参照）を備えている。したがって、第１重なり部５１と第２重なり部４１との重なり位置において、当接用壁部４１Ｔの外面４１ｔと第１重なり部５１の外面５１ｔとが略面一に構成されることによって、外観の見栄えを良くすることができる。しかも、当接用壁部４１Ｔの外面４１ｔに備えた凹部４１Ｓを利用して第１重なり部５１の当接用壁部側端５１Ｈを指の爪で引っ掛けて第１重なり部５１を第２重なり部４１から容易に引き離すことができる。また、外側に位置する連結部５の延出部５２の第１重なり部５１側端の内面に連結部５の幅方向全域に亘る幅を有しかつ内側に突出する突起部５１Ｙを備えている。したがって、第１重なり部５１を第２重なり部４１にスライドさせた時に、第２重なり部４１の先端４１Ｘに突起部５１Ｙが当接することによって、両者の重なり位置を規制する。よって、前記当接用壁部４１Ｔ及び前記突起部５１Ｙとで第１重なり部５１と第２重なり部４１との重なり位置を規制している。尚、当接用壁部４１Ｔの外面４１ｔと第１重なり部５１の外面５１ｔとが、ローレット加工されているが、扁平な外面であってもよい。
【００３８】
上記のように構成された髪止め具１を、頭髪１０を束ねた紐状体２の外周を覆うように頭髪１０に装着する手順を、図７に基づいて説明する。まず、頭髪１０をまとめて束ねた状態にし、紐状体２を束ねた頭髪１０に巻き付ける。次に、髪止め具１を頭髪１０の上方に位置させてから、下方に位置する第１重なり部５１と第２重なり部４１を矢印の方向（左右方向）に引き離して髪止め具１の下方を開放させる。こののち、髪止め具１を下降させることによって、髪止め具１の内部に紐状体２が位置する。この状態から、第１重なり部５１と第２重なり部４１を閉じるように両者を近付けることによって、一対の棒状突起７，７が紐状体２の両端部２Ａ，２Ａを頭髪１０の長さ方向の両端から挟むように頭髪１０に差し込まれるとともに、第１重なり部５１と第２重なり部４１が永久磁石８，８，９，９の磁力により重なり合って両者が閉じた状態を維持する。
【００３９】
前記のように、一対の連結部４，５が閉じると、一対の連結部４，５が閉じた状態を維持したまま、束ねた頭髪１０の外径寸法に応じて弾性体６が伸縮する。これによって、外周方向で隣り合う円弧状部材３，３間の隙間が広がったり、又は狭くなったりすることで、髪止め具１の内径寸法を束ねた頭髪１０の外径寸法に合わせることができる。したがって、髪止め具１が頭髪１０から外れてしまうことを防止できる。
【００４０】
尚、本考案は、上記実施形態に限定されるものではなく、本考案の要旨を逸脱しない範囲で種々の変更が可能である。
【００４１】
例えば、髪止め具１を、図８に示すように構成してもよい。図８では、各円弧状部材３の本体部３１の外周方向略中央部における幅方向両端部の内面に設けた一対の突出片３３，３３（図１参照）を省略した髪止め具１を示している。説明しなかった他の構成は、図１と同様であるため、図１と同一の符号を付すとともに説明は省略する。
【００４２】
また、髪止め具を、図９に示すように構成してもよい。図９では、弾性体６の通し方を図１とは変更している。具体的には、各円弧状部材３の本体部３１の外周方向中央部でかつ幅方向中央部の内面に弾性体６を通すための一対の中継用の孔３４ａ，３４ａが形成された１個の突出片３４を備えている。ゴム紐６の一方の端部が、一方の連結部４の一端部の突起部４２Ａの一方（図９では上側）の孔４２ａから同一端側の円弧状部材３の孔３２ａに挿通してから斜め方向に位置する突出片３４の一方（図９では上側）の孔３４ａに挿通し、一方（図９では上側）の中継用の孔３４ａを挿通したゴム紐６の一方の端部が、斜め方向に位置する円弧状部材３の孔３２ａに挿通される。これを繰り返して、ゴム紐６の一方の端部が、他方の連結部５側の円弧状部材３の一方の孔３２ａ及び他方の連結部５の一方の孔５２ａに挿通されてから、他方の連結部５の他方の孔５２ｂに挿通してから斜め方向に位置する突出片３４の他方の中継用の孔３４ｂに挿通し、他方の孔３４ｂを挿通したゴム紐６の一方の端部が、斜め方向に位置する円弧状部材３の他方の孔３２ｂに挿通される。これを繰り返して、ゴム紐６の一方の端部が、一方の連結部４側の円弧状部材３の他方の孔３２ｂ及び一方の連結部４の他方の孔５２ｂに挿通され、他方の孔５２ｂに挿通されたゴム紐６の一方の端部と、一方の連結部４の一端部の突起部４２Ａの一方の孔４２ａから一方の連結部４側へ突出している他方の端部と、を前述と同様に結んで無端ループ状に構成されている。このように、径方向内側に突出する１個の突出片に備えた中継用の孔３４ａ，３４ｂに、壁部３２の幅方向一端部側の孔３２ａを挿通するゴム紐６と、壁部３２の幅方向他端部側の孔３２ｂを挿通するゴム紐６とが挿通することによって、ゴム紐６を外周部材３の内面側に沿わせることができるとともに、ゴム紐６が外部から見え難くなる。
【００４３】
前記実施形態では、弾性体を一本のゴム紐から構成したが、二本のゴム紐から構成してもよい。この場合、略同一長さのゴム紐を用意し、ゴム紐を幅方向同一端部側の孔にそれぞれ通してから連結部４，５にそれぞれ括って固定する。
【００４４】
また、前記実施形態では、弾性体を挿通する孔を円形に構成したが、楕円形状、三角形状、多角形状等、どのような形状であってもよい。
【００４５】
また、前記実施形態では、髪止め具１を頭髪１０に上方から下方へ移動させて装着したが、これとは反対に髪止め具１を頭髪１０に下方から上方へ移動させて装着してもよい。この場合、連結部４，５が上方に位置した状態において連結部４，５を開放させて頭髪１０に下方から上方へ移動させて装着させることになる。
【００４６】
また、前記実施形態では、外周部材３を円弧状部材から構成したが、三角形状や矩形状等の直線状の部材から構成することもできる。その部材は、正面視において矩形状の他、三角形状や楕円形状や菱形形状等、どのような形状であってもよい。また、外周部材３を同一形状の複数の部材（実施形態では円弧状部材）から構成する他、異なる複数種類の形状の部材を連結して構成してもよい。
【００４７】
また、前記実施形態では、第１重なり部５１及び第２重なり部４１のそれぞれは、両者を磁力により重なり状態を保持するための永久磁石８，９を備えていたが、永久磁石８，９に代えて、第１重なり部５１及び第２重なり部４１のうちの一方に被係止部を備え、他方に被係止部に係脱可能に係止する係止部を備えて実施することもできる。
【符号の説明】
【００４８】
１…髪止め具、２…紐状体、２Ａ…両端部、３…外周部材（円弧状部材）、４，５…連結部、６…弾性体（ゴム紐）、６Ａ…一端部、６Ｂ…他端部、７…棒状突起、８，９…永久磁石、８Ｖ…外面、９Ｕ…内面、１０…頭髪、３１…本体部、３１ａ…外面、３２…壁部、３２ａ，３２ｂ…孔、３３…突出片、３３ａ，３３ｂ…孔、３４…突出片、３４ａ，３４ｂ…孔、４１，５１…重なり部、４１Ａ…凹部、４１Ｓ…凹部、４１Ｔ…当接用壁部、４１Ｖ…外面、４１Ｘ…先端、４１ｔ…外面、４２，５２…延出部、４２Ａ，５２Ａ…突起部、４２Ｂ，５２Ｂ…鍔部、４２ａ，４２ｂ，５２ａ，５２ｂ…孔、４３…案内用壁部、４３ｄ…端面、５１Ａ…凹部、５１Ｃ…  径方向内側端部、５１Ｄ…径方向外側部、５１Ｈ…当接用壁部側端、５１Ｕ…内面、５１Ｙ…突起部、５１ｄ…端面、５１ｔ…外面
【図１】
0003231483.tif 000003
【図２】
0003231483.tif 000004
【図３】
0003231483.tif 000005
【図４】
0003231483.tif 000006
【図５】
0003231483.tif 000007
【図６】
0003231483.tif 000008
【図７】
0003231483.tif 000009
【図８】
0003231483.tif 000010
【図９】
0003231483.tif 000011